(57)【要約】【課題】グレーチング部材とＵ字溝部材との取付部を千鳥状に配置した害獣侵入防止効果の高い害獣侵入防止装置を提供する【解決手段】本発明に係る害獣侵入防止装置８０は、グレーチング部材３０が嵌る片高部４２を道路側（舗装止め側）のみとし、さらにグレーチング部材３０の短辺をハニカム状の開口が中間位置で切断された形状としている。これにより、害獣侵入防止装置８０の上面のほとんどの領域が略同一のハニカム開口となり、高い害獣侵入防止効果を得ることができる。また、グレーチング部材３０とＵ字溝部材４０ａ、４０ｂとの取付部３６を千鳥状に配置しているため、害獣はこの取付部３６を足場として認識することが難しく、更なる害獣侵入防止効果を得ることができる。【選択図】図１
2013223484.tif 000002
【特許請求の範囲】
【請求項１】
ハニカム状の開口が一面に形成されたグレーチング部材と、
少なくとも一方の側壁上部に前記グレーチング部材が嵌る片高部が形成されたＵ字溝部材と、を有し、
前記グレーチング部材には前記Ｕ字溝部材との取付部が千鳥状に配置されていることを特徴とする害獣侵入防止装置。
【請求項２】
Ｕ字溝部材の側壁上部がグレーチング取付手段を備えたコーナープレート部材で構成されており、前記グレーチング取付手段はグレーチング部材の取付部と対応して千鳥状に配置されていることを特徴とする請求項１記載の害獣侵入防止装置。
【請求項３】
コーナープレート部材は、Ｕ字溝部材の内側に向かって傾斜する傾斜部を有することを特徴とする請求項２記載の害獣侵入防止装置。
【請求項４】
グレーチング部材とＵ字溝部材との間に補強用構造部材を有することを特徴とする請求項１乃至請求項３のいずれかに記載の害獣侵入防止装置。
【請求項５】
Ｕ字溝部材の側壁下部に排水連結孔を有し、Ｕ字溝部材を短辺方向に連結したときに前記排水連結孔が互いに連通することを特徴とする請求項１乃至請求項４のいずれかに記載の害獣侵入防止装置。
【発明の詳細な説明】
【技術分野】
【０００１】
本発明は、地面に敷設して鹿や猪等の害獣が侵入することを防止する害獣侵入防止装置に関するものである。
【背景技術】
【０００２】
近年、山林の疲弊や個体数の増加等の理由により、鹿や猪等の野生動物が山間部の農地等に侵入し農作物を食い荒らす食害が問題となっている。これら害獣が農地等に侵入することを防止する手法としては、侵入防止区域を柵やフェンス等の侵入防止柵で囲うことが一般的である。侵入防止区域を侵入防止柵で囲う場合、人間や車両の出入りは侵入防止柵の一部に設置された開閉式ゲートにて行われる。しかしながら、侵入防止区域に林野作業道等の一般道部分からの進入経路が存在する場合、通行者の妨げとなるために開閉式ゲートを設置することができず、害獣に対する有効な侵入防止策を取ることができない。
【０００３】
この問題点に対して下記［特許文献１］には、害獣の脚が入るほどの開口寸法の格子状もしくはハニカム状のパネル（グレーチング部材）を地面に敷設して害獣の侵入を防止する動物侵入防止装置に関する発明が開示されている。
【先行技術文献】
【特許文献】
【０００４】
【特許文献１】特開２０１１−１６０７３３号公報
【発明の概要】
【発明が解決しようとする課題】
【０００５】
しかしながら、十分な害獣侵入防止効果を上げるためには害獣が容易に飛び越えることの出来ないある程度の区間を全て害獣侵入防止装置で敷き詰める必要がある。しかしながら、グレーチング部材の大型化には限界があるため、上記の目的を達成するためには、複数のグレーチング部材を並べて敷設する必要がある。このとき、グレーチング部材の表面に目立った継ぎ目等が存在すると害獣がこれを足場にして害獣侵入防止装置を渡る可能性がある。
【０００６】
本発明は上記事情に鑑みてなされたものであり、グレーチング部材とＵ字溝部材との取付部を千鳥状に配置した害獣侵入防止効果の高い害獣侵入防止装置を提供することを目的とする。
【課題を解決するための手段】
【０００７】
本発明は、
（１）ハニカム状の開口が一面に形成されたグレーチング部材３０と、少なくとも一方の側壁上部に前記グレーチング部材３０が嵌る片高部４２が形成されたＵ字溝部材４０ａと、を有し、
前記グレーチング部材３０には前記Ｕ字溝部材４０ａ（４０ｂ）との取付部３６が千鳥状に配置されていることを特徴とする害獣侵入防止装置８０を提供することにより、上記課題を解決する。
（２）Ｕ字溝部材４０ａ、４０ｂの側壁上部がグレーチング取付手段（グレーチング取付筒４５、ボルト部材４７）を備えたコーナープレート部材４６ａ、４６ｂで構成されており、前記グレーチング取付手段はグレーチング部材３０の取付部３６と対応して千鳥状に配置されていることを特徴とする上記（１）記載の害獣侵入防止装置８０を提供することにより、上記課題を解決する。
（３）コーナープレート部材４６ａ、４６ｂは、Ｕ字溝部材４０ａ、４０ｂの内側に向かって傾斜する傾斜部４８を有することを特徴とする上記（２）記載の害獣侵入防止装置８０を提供することにより、上記課題を解決する。
（４）グレーチング部材３０とＵ字溝部材４０ａ、４０ｂとの間に補強用構造部材３１を有することを特徴とする上記（１）乃至（３）のいずれかに記載の害獣侵入防止装置８０を提供することにより、上記課題を解決する。
（５）Ｕ字溝部材４０ａ、４０ｂの側壁下部に排水連結孔５２を有し、Ｕ字溝部材４０ａ、４０ｂを短辺方向に連結したときに前記排水連結孔５２が互いに連通することを特徴とする上記（１）乃至（４）のいずれかに記載の害獣侵入防止装置８０を提供することにより、上記課題を解決する。
【発明の効果】
【０００８】
本発明に係る害獣侵入防止装置は、グレーチング部材とＵ字溝部材との取付部を千鳥状に配置することで、高い害獣侵入防止効果を得ることができる。また、Ｕ字溝部材の側壁上面に傾斜部を設けることで害獣の足場形成を阻害する。これにより、更なる害獣侵入防止効果を得ることができる。
【図面の簡単な説明】
【０００９】
【図１】本発明に係る害獣侵入防止装置の側面図及び平面図である。
【図２】本発明に係るグレーチング部材の平面図及び断面図である。
【図３】本発明に係るグレーチング部材の変形例を示す図である。
【図４】本発明に係るＵ字溝部材の側面図及び平面図である。
【図５】本発明に係るＵ字溝部材の他の例の側面図及び平面図である。
【図６】本発明に係るＵ字溝部材のコーナープレート部材を説明する図である。
【図７】本発明に係るＵ字溝部材のコーナープレート部材の他の例を説明する図である。
【図８】傾斜部を備えたＵ字溝部材を説明する図である。
【図９】補強用構造部材を備えた害獣侵入防止装置の側面図である。
【図１０】本発明に係る補強用構造部材を説明する図である。
【図１１】本発明に係る害獣侵入防止装置の設置例を示す図である。
【発明を実施するための形態】
【００１０】
本発明に係る害獣侵入防止装置の実施の形態について図面に基づいて説明する。図１（ａ）は本発明に係る害獣侵入防止装置８０の側面図である。また、図１（ｂ）は害獣侵入防止装置８０の平面図である。図１に示す本発明に係る害獣侵入防止装置８０は、ハニカム状の開口が一面に形成されたグレーチング部材３０と、当該グレーチング部材３０が設置されるＵ字溝部材４０ａ、４０ｂとで主に構成されている。尚、図１においては、Ｕ字溝部材４０ａ、４０ｂを車両や人間の進行方向に４つ連結した例を示している。
【００１１】
次に、本発明に係る害獣侵入防止装置８０のグレーチング部材３０を図２に示す。ここで、図２（ａ）はグレーチング部材３０の平面図であり、図２（ｂ）は図２（ａ）のＸ−Ｘ断面図である。本発明に係るグレーチング部材３０は金属で形成されており、害獣の脚が入る程度の例えばＬ寸法が７０ｍｍ〜１５０ｍｍ程度のハニカム状の開口が一面に形成された本体部３２と、グレーチング部材３０をＵ字溝部材４０ａ、４０ｂに固定するための取付穴３４が形成された取付部３６とで主に構成されている。尚、グレーチング部材３０の寸法は長辺方向が約９０ｃｍ〜１００ｃｍであり、短辺方向が約５０ｃｍ〜６０ｃｍであり、厚みが約５ｃｍ〜８ｃｍ程度である。また、グレーチング部材３０は基本的に１つのＵ字溝部材４０ａ、４０ｂに対し、長辺方向に２つ並べて設置される。尚、グレーチング上面には人間や車両に対する滑り止め用のドット３８を形成することが好ましい。
【００１２】
グレーチング部材３０の短辺はハニカム状の開口が中間位置で切断された形状となっており外枠フレームに相当する部位は存在しない。このため、グレーチング部材３０を長辺方向に並べて設置した場合、その隣接部分は隣り合うグレーチング部材３０の切断されたハニカム開口が合わさって上面と同様のハニカム開口を形成し、これにより害獣侵入防止装置８０の上面のほとんどの領域が略同一寸法のハニカム開口となる。ここで仮に、グレーチング部材３０の短辺に外枠フレームを設けた場合、害獣がこの一直線上に並ぶ外枠フレームを足場にして害獣侵入防止装置８０を渡る可能性がある。しかしながら、前述のように本発明のグレーチング部材３０には外枠フレームが存在せず、また害獣侵入防止装置８０の上面はほぼ全て同一のハニカム開口となっているため、害獣が外枠フレームを足場にして侵入防止区域に侵入することはない。
【００１３】
また、グレーチング部材３０における取付部３６はグレーチング部材３０の長辺側から見て千鳥状に配置されている。ここで仮に、取付部を一直線状に配置した場合、害獣は一定間隔で並ぶ取付部を認識し、これを足場にして害獣侵入防止装置を渡る可能性がある。しかしながら、本発明の取付部３６は害獣から見て千鳥状に配置されているため、取付部３６を足場として認識することが難しく、これにより害獣が取付部３６を足場にして侵入防止区域に侵入することを防ぐことができる。
【００１４】
ハニカム開口の製造方法の一例としては、例えば金属板を屈曲して図３（ａ）に示すようなハニカム構成部材６１を作製し、このハニカム構成部材６１を交互に向かい合わせて接合することで行う。ただし、このハニカム構成部材６１で形成されたグレーチング部材３０は、隣接するハニカム構成部材６１がハニカム開口の一面で接触する。従って、接触面部分の幅寸法（図３（ａ）中のＷａ）がハニカム構成部材６１の厚さの２倍となる。このため、ハニカム構成部材６１の厚みが厚い場合、害獣がこの接触面部分を足場とする可能性がある。このような場合、ハニカム開口を例えば図３（ｂ）に示すハニカム構成部材６１ａ、６１ｂ、６１ｃを用いて形成する。ここで、ハニカム構成部材６１ａは、ハニカム構成部材６１ｂとの接触面の上側を交互に切り欠いて形成されている。また、ハニカム構成部材６１ｂは、ハニカム構成部材６１ａとは逆の接触面の上側を交互に切り欠いて形成されている。また、ハニカム構成部材６１ｃは、ハニカム構成部材６１ａ、６１ｂの切り欠かれた接触面と略同等の高さ寸法で形成されている。そして、ハニカム構成部材６１ａ、６１ｂ、６１ｃを用いたグレーチング部材３０では、端部にハニカム構成部材６１ｃを配した上で、ハニカム構成部材６１ａとハニカム構成部材６１ｂとを交互に所定の個数接合する。このときハニカム構成部材６１ａとハニカム構成部材６１ｂとは、接触面の上側が交互に切り欠かれているため接触面の下側のみが接触する。よって、ハニカム構成部材６１ａ、６１ｂ、６１ｃを用いたグレーチング部材３０では、図３（ｃ）に示すように、グレーチング部材３０の上面において接触面部分の幅寸法が増大しない。これにより、害獣が接触面部分を足場とすることを防止することができる。
【００１５】
次に、本発明に係る害獣侵入防止装置８０のＵ字溝部材４０ａ、４０ｂに関して図４〜図８を用いて説明を行う。尚、図６ではＵ字溝部材４０ａ、４０ｂの上下を逆転して図示している。これは、後述のＵ字溝部材４０ａ、４０ｂの製造時の方向と同一となっている。また、図６においてはＵ字溝部材４０ａ、４０ｂのコンクリート部分を破線で示した。
【００１６】
害獣侵入防止装置８０のＵ字溝部材４０ａ、４０ｂは、図４、図５に示すように、一方の側壁上部に片高部４２が形成されたＵ字溝部材４０ａと、片高部４２の無いＵ字溝部材４０ｂとで構成される。尚、図４、図５に示すＵ字溝部材４０ａ、４０ｂは、それぞれグレーチング取付手段が異なる例を示している。ここで、図４（ａ）、図５（ａ）はＵ字溝部材４０ａの側面図であり、図４（ｂ）、図５（ｂ）は平面図である。また、図４（ｃ）、図５（ｃ）はＵ字溝部材４０ｂの側面図であり、図４（ｄ）、図５（ｄ）は平面図である。
【００１７】
片高部４２を有するＵ字溝部材４０ａは、害獣侵入防止装置８０の外側に用いるものであり、基本的に片高部４２が道路（通路）を横切るように設置される。これにより、片高部４２は道路（通路）の舗装止めとして機能する。また、片高部４２にはグレーチング部材３０が嵌るとともに、グレーチング部材３０の保護部材としての役割も果たす。
【００１８】
尚、Ｕ字溝部材４０ａの内側の側壁及びＵ字溝部材４０ｂの側壁には片高部４２は形成しない。ここで仮に、Ｕ字溝部材の全ての側壁に片高部に相当する部位を設けた場合、害獣侵入防止装置の上面には片高部による側壁帯が一定間隔で形成されてしまい、害獣がこの側壁帯を足場にして害獣侵入防止装置を渡る可能性がある。しかしながら、本発明に係る害獣侵入防止装置８０は片高部４２が内側に存在しないため、害獣侵入防止装置８０の上面は全てグレーチング部材３０で覆われる。よって、害獣が片高部４２を足場にして侵入防止区域に侵入することを防ぐことができる。
【００１９】
また、Ｕ字溝部材４０ａ、４０ｂはコンクリート等で構成され、深さ寸法Ｔが害獣が侵入を躊躇う深さの約２０ｃｍ〜４０ｃｍ、好適には３５ｃｍの断面Ｕ字形状を呈している。よって、害獣侵入防止装置８０の深さはＵ字溝部材４０ａ、４０ｂの深さ寸法Ｔとグレーチング部材３０の厚さとが合算された値となる。
【００２０】
また、Ｕ字溝部材４０ａ、４０ｂの側壁上部は、グレーチング取付手段を備えたコーナープレート部材４６ａ、４６ｂで構成されている。尚、コーナープレート部材４６ａは片高部４２を備えた側壁に用いるものであり、コーナープレート部材４６ｂは片高部４２の無い側壁に用いるものである。
【００２１】
ここで、図４、図６に示すＵ字溝部材４０ａ、４０ｂは、内面がグレーチング取付孔４４となるグレーチング取付筒４５をグレーチング取付手段として用いた例である。また、図５、図７に示すＵ字溝部材４０ａ、４０ｂは、上方に突出したボルト部材４７をグレーチング取付手段として用いた例である。尚、ボルト部材４７はコーナープレート部材４６ａ、４６ｂに予め接合しておいても良いし、図４、図６に示すグレーチング取付孔４４に所定の長さの全ネジを挿入し、これをボルト部材４７としても良い。
【００２２】
コーナープレート部材４６ａ、４６ｂは基本的に金属で構成されており、前述のようにグレーチング取付手段を有している。このグレーチング取付手段はグレーチング部材３０の取付部３６（取付穴３４）と対応するものであり、コーナープレート部材４６ａ、４６ｂが双方の側壁に設置された状態において、グレーチング部材３０の取付穴３４と同じく長辺側から見て千鳥状に配置される。そして、グレーチング取付孔４４を有するＵ字溝部材４０ａ、４０ｂでは、グレーチング取付孔４４とグレーチング部材３０の取付穴３４とを合わせ、ボルト等で固定することでＵ字溝部材４０ａ、４０ｂにグレーチング部材３０を設置する。また、ボルト部材４７を有するＵ字溝部材４０ａ、４０ｂでは、Ｕ字溝部材４０ａ、４０ｂのボルト部材４７をグレーチング部材３０の取付穴３４に嵌入し、ナット等で固定することでＵ字溝部材４０ａ、４０ｂにグレーチング部材３０を設置する。このように、グレーチング取付手段をコーナープレート部材４６ａ、４６ｂに設けることで、Ｕ字溝部材４０ａ、４０ｂの側の取付部（グレーチング取付手段）の位置ズレを防止することができ、グレーチング部材３０の取付を円滑に行うことができる。
【００２３】
尚、Ｕ字溝部材４０ａ、４０ｂは、図６の方向で型枠内に予めコーナープレート部材４６ａ、４６ｂを配置し、これにコンクリートを流し込み固化することで製造する。これにより、コーナープレート部材４６ａ、４６ｂをＵ字溝部材４０ａ、４０ｂに十分な強度で固定することができる。
【００２４】
また、Ｕ字溝部材４０ａ、４０ｂの側壁には、Ｕ字溝部材４０ａ、４０ｂの側壁同士を短辺方向に連結するための複数個のＵ字溝接続孔５０が形成されている。このＵ字溝接続孔５０により、Ｕ字溝部材４０ａ、４０ｂの連結時の位置ズレを防止することができる他、Ｕ字溝部材４０ａ、４０ｂの連結を円滑に行うことができる。尚、害獣侵入防止装置８０の外側に用いるＵ字溝部材４０ａでは内側に位置する一方の側壁にのみＵ字溝接続孔５０を形成することが好ましい。
【００２５】
また、Ｕ字溝部材４０ａ、４０ｂの側壁下部には、Ｕ字溝部材４０ａ、４０ｂを短辺方向に連結したときに互いに連通する排水連結孔５２が形成されている。この排水連結孔５２の存在により、害獣侵入防止装置８０内に流れ込む雨水等は、Ｕ字溝部材４０ａ、４０ｂの長辺方向に加え短辺方向にも流下し、例えば害獣侵入防止装置８０を傾斜面に設置した場合でも、流れ込んだ雨水等を道路脇の側溝等に効果的に排水することができる。尚、排水連結孔５２はＵ字溝部材４０ａの外側の側壁にも形成可能である。例えば、害獣侵入防止装置８０の設置場所に側溝等が存在しない場合、害獣侵入防止装置８０内で一番低い場所に近い外側の側壁に排水連結孔５２を設け、この排水連結孔５２と遠方の排水升や側溝等とをコンクリートもしくは塩化ビニル製のパイプ部材等で連結し、このパイプ部材を通して害獣侵入防止装置８０内の雨水等を所定の排水場所に排水するようにしても良い。この構成によれば、害獣侵入防止装置８０に隣接する排水場所が存在しない場合でも、害獣侵入防止装置８０内に流れ込む雨水等を滞留なく排水することができる。
【００２６】
さらに、Ｕ字溝部材４０ａ、４０ｂの底面には底版固定孔５４が形成されている。この底板固定孔５４はＵ字溝部材４０ａ、４０ｂの固定に用いるものであり、害獣侵入防止装置８０の設置時には閉塞される。この底版固定孔５４に関しては後の設置方法の説明において詳述する。
【００２７】
また、本発明に係る害獣侵入防止装置８０は図８に示すように、コーナープレート部材４６ａ、４６ｂの上面に、Ｕ字溝部材４０ａ、４０ｂのＵ字溝側（内側）に向かって傾斜する傾斜部４８を有していても良い。この傾斜部４８を有する構成によれば、害獣がハニカム開口を通してＵ字溝部材４０ａ、４０ｂの側壁上面に足場を形成しようとした場合でも、傾斜部４８がこの足場を不安定とする。これにより、害獣はここを足場とすることを躊躇するため、更なる害獣侵入防止効果を得ることができる。
【００２８】
また、傾斜部４８はＵ字溝部材４０ａ、４０ｂの側壁上面とグレーチング部材３０との間に隙間を形成する。この隙間は、側壁上面のハニカム開口内に入り込んだ落ち葉や土砂、雨水等をＵ字溝内に排出し、落ち葉や土砂等の堆積によるハニカム開口の閉塞を防止する。これにより、害獣侵入防止機能の維持を図ることができる。尚、この傾斜部４８を有する構成は、後述の補強用構造部材３１を用いた構成においても適用可能である。
【００２９】
また、本発明に係る害獣侵入防止装置８０は、図９に示すように、グレーチング部材３０とＵ字溝部材４０ａ、４０ｂとの間に補強用構造部材３１を設けても良い。ここで、図９（ａ）は傾斜部４８の無いＵ字溝部材４０ａ、４０ｂに補強用構造部材３１を適用した例を示し、図９（ｂ）は傾斜部４８を備えたＵ字溝部材４０ａ、４０ｂに補強用構造部材３１を適用した例を示している。この構成によれば、補強用構造部材３１及びグレーチング部材３０の厚みや材質等を変化させることで、害獣侵入防止装置８０全体の強度と上面への耐荷重とを調整することができる。これにより、必要に応じて害獣侵入防止装置８０の強度、耐荷重の増減が可能となる。また、要求される強度、耐荷重を維持しながら害獣侵入防止装置８０の軽量化、低コスト化等を図ることができる。尚、図９ではグレーチング部材３０と補強用構造部材３１とが同じ厚さの例を示している。
【００３０】
ここで、図１０（ａ）、（ｂ）に補強用構造部材３１の好適な一例を示す。また、図１０（ｃ）に、図１０（ａ）の補強用構造部材３１上にグレーチング部材３０を重ねた状態の平面図を示す。
【００３１】
図１０（ａ）に示す補強用構造部材３１は、上方に位置するグレーチング部材３０のハニカム開口の稜線に極力沿うように鋼板を配置し、これら鋼板により形成された略ひし形形状の開口を有している。また、図１０（ｂ）に示す補強用構造部材３１は、ハニカム開口の稜線に沿うように鋼板を斜めに設置して構成されている。これらの補強用構造部材３１によれば、補強用構造部材３１がグレーチング部材３０のハニカム開口を必要以上に閉塞しないため、グレーチング部材３０の害獣侵入防止機能を損なうことなく、グレーチング部材３０の補強を行うことができる。
【００３２】
補強用構造部材３１のＵ字溝部材４０ａ、４０ｂへの取付方法は、グレーチング部材３０に補強用構造部材３１を溶接した後、グレーチング取付手段を用いてグレーチング部材３０とともに取り付けることが好ましい。ただし、補強用構造部材３１の取付方法は、この手法に限定されるわけでは無く、例えばコーナープレート部材４６ａ、４６ｂを多段状にして、グレーチング部材３０と補強用構造部材３１とを個別に設置するようにしても良い。
【００３３】
次に、害獣侵入防止装置８０の設置方法を図１１を用いて説明する。ここで、図１１（ａ）は傾斜部４８の無い害獣侵入防止装置８０の設置例を示す図である。また、図１１（ｂ）は傾斜部４８を備えた害獣侵入防止装置８０の設置例を示す図である。先ず、地面１（舗装道、無舗装道を含む）における害獣侵入防止装置８０の設置領域を所定の深さで掘削する。次に、基礎砕石２０を敷き詰める。次に基礎砕石２０上に鉄筋コンクリートもしくは無筋コンクリートにて基礎コンクリート２２を打つ。このとき、底板固定孔５４が位置する箇所に予め差し筋２６を設置しておく。次に、基礎コンクリート２２上に敷モルタル２４を敷きＵ字溝部材４０ａ、４０ｂを所定の個数配列する。このとき基礎コンクリート２２に設置されている差し筋２６は、Ｕ字溝部材４０ａ、４０ｂの底板固定孔５４内に挿入される。次に、Ｕ字溝接続孔５０にボルト等を嵌入しＵ字溝部材４０ａ、４０ｂを連結するとともに、底版固定孔５４にモルタル等を流し込みＵ字溝部材４０ａ、４０ｂを固定する。これにより、Ｕ字溝部材４０ａ、４０ｂと基礎コンクリート２２とは差し筋２６を介して十分な強度で固定される。尚、図中ではＵ字溝部材４０ａ、４０ｂを短辺方向のみに連結しているが、Ｕ字溝部材４０ａ、４０ｂは道幅に応じて長辺方向にも連結が可能である。尚、Ｕ字溝部材４０ａ、４０ｂの長辺方向の継ぎ目は、従来のＵ字溝と同様、モルタル等により固定及び防水が施される。次に、グレーチング部材３０をＵ字溝部材４０ａ、４０ｂに設置し、グレーチング取付手段と取付部３６とを固定する。これにより、Ｕ字溝部材４０ａ、４０ｂにグレーチング部材３０が固定される。次に、害獣侵入防止装置８０の片高部４２と接するように地面１の埋め戻しもしくは再舗装を行う。これにより、害獣侵入防止装置８０の設置が完了する。
【００３４】
以上のように、本発明に係る害獣侵入防止装置８０は、グレーチング部材３０が嵌る片高部４２を道路側（舗装止め側）のみとし、さらにグレーチング部材３０の短辺をハニカム状の開口が中間位置で切断された形状としている。これにより、害獣侵入防止装置８０の上面のほとんどの領域が略同一のハニカム開口となり、高い害獣侵入防止効果を得ることができる。また、グレーチング部材３０とＵ字溝部材４０ａ、４０ｂとの取付部３６を千鳥状に配置しているため、害獣はこの取付部３６を足場として認識することが難しく、更なる害獣侵入防止効果を得ることができる。
【００３５】
また、傾斜部４８を有する害獣侵入防止装置８０では、Ｕ字溝部材４０ａ、４０ｂの側壁上面を斜めとすることで、害獣がここを足場とすることを阻害する。これにより、更なる害獣侵入防止効果を得ることができる。また、傾斜部４８は側壁上面に位置するハニカム開口の落ち葉や土砂による閉塞を防止する。これにより、害獣侵入防止機能の維持を図ることができる。
【００３６】
また、補強用構造部材３１を備えた害獣侵入防止装置８０では、補強用構造部材３１及びグレーチング部材３０の厚みや材質等を変化させることで、害獣侵入防止装置８０全体の強度と上面への耐荷重とを調整することができる。これにより、必要とされる強度、耐荷重を維持しながら害獣侵入防止装置８０の軽量化、低コスト化等を図ることができる。
【００３７】
さらに、本発明に係る害獣侵入防止装置８０はＵ字溝部材４０ａ、４０ｂを用いることで、害獣の侵入を防止する十分な深さを均一且つ容易に得ることができる。また、Ｕ字溝部材を用いることで部材コストの抑制を図ることができる他、害獣侵入防止装置８０の設置を容易且つ安価に行うことができる。
【００３８】
また、害獣侵入防止装置８０を侵入防止柵の替わりに用い、侵入防止区域の周囲もしくは一辺に害獣侵入防止装置８０を敷設するようにしても良い。尚、本例で示した害獣侵入防止装置８０は一例であり、グレーチング取付手段と取付部との固定方法は上記以外の周知の方法を用いることができる。また、害獣侵入防止装置８０の各部の寸法、形状等は、本発明の要旨を逸脱しない範囲で変更して実施することが可能である。
【符号の説明】
【００３９】
３０    グレーチング部材
３１    補強用構造部材
３６    取付部
４０ａ、４０ｂ    Ｕ字溝部材
４２    片高部
４５    グレーチング取付筒（グレーチング取付手段）
４６ａ、４６ｂ    コーナープレート部材
４７    ボルト部材（グレーチング取付手段）
４８    傾斜部
５０    Ｕ字溝接続孔
５２    排水連結孔
５４    底版固定孔
８０    害獣侵入防止装置
【図１】
2013223484.tif 000003
【図２】
2013223484.tif 000004
【図３】
2013223484.tif 000005
【図４】
2013223484.tif 000006
【図５】
2013223484.tif 000007
【図６】
2013223484.tif 000008
【図７】
2013223484.tif 000009
【図８】
2013223484.tif 000010
【図９】
2013223484.tif 000011
【図１０】
2013223484.tif 000012
【図１１】
2013223484.tif 000013